(57)【特許請求の範囲】
【請求項１】
乗用車体（２）の後側に苗植付け部（７）を装着し、乗用車体（２）の前部の左右に予備苗載せ台（１９）を設けると共に、乗用車体（２）の操縦座席（１４）の上方で予備苗載せ台（１９）から苗植付け部（７）の近くまでの間にバイザー（２５）を設けた苗移植機において、乗用車体（２）の左右両側で予備苗載せ台（１９）から苗植付け部（７）の近くまで移動できるステップフロア（３５）を設け、前記ステップフロア（３５）の操縦座席（１４）より後側の部分を操縦座席（１４）より前側の部分より高位に設けると共に、前記バイザー（２５）の後部（４０）をバイザー（２５）の前側部分に設けた回動軸回りに上下に回動可能に構成し、該バイザー（２５）の後部（４０）における前後方向中途部から後側部分にかけて左右幅が段状に広くなる構成とした苗移植機。
【発明の詳細な説明】
【技術分野】
【０００１】
本発明は、操縦座席の上方に雨や太陽光などを遮るバイザーを設けた苗移植機の技術分野に属する。
【背景技術】
【０００２】
従来、乗用車体に設けた操縦座席の上方に、雨や太陽光などを遮るバイザーを設けた苗移植機の一例である乗用型田植機が知られている。このバイザーは、機体平面視で乗用車体のステップの全域に重複するものである。
【特許文献１】実開昭６２−１１６６２０号公報
【発明の開示】
【発明が解決しようとする課題】
【０００３】
従来の苗移植機のように、バイザ−が設けられていると、作業者が乗用車体のステップフロア上を移動して苗植付け部へ苗補給作業をするとき、苗補給作業の邪魔になるおそれがある。
【０００４】
本発明は、上記の問題点を解決することを目的になされたものである。
【課題を解決するための手段】
【０００５】
本発明は、上記課題を解決するべく次の技術的手段を講じた。
すなわち、乗用車体２の後側に苗植付け部７を装着し、乗用車体２の前部の左右に予備苗載せ台１９を設けると共に、乗用車体２の操縦座席１４の上方で予備苗載せ台１９から苗植付け部７の近くまでの間にバイザー２５を設けた苗移植機において、乗用車体２の左右両側で予備苗載せ台１９から苗植付け部７の近くまで移動できるステップフロア３５を設け、前記ステップフロア３５の操縦座席１４より後側の部分を操縦座席１４より前側の部分より高位に設けると共に、前記バイザー２５の後部４０をバイザー２５の前側部分に設けた回動軸回りに上下に回動可能に構成し、該バイザー２５の後部４０における前後方向中途部から後側部分にかけて左右幅が段状に広くなる構成とした苗移植機とした。
【０００６】
この苗移植機は、オペレ−タが操縦座席１４に座って運転し、乗用車体２を走行させながら苗植付け部７により圃場に苗を植え付けていく。バイザー２５により雨や太陽光などを遮るため、操縦座席１４に座ったオペレ−タが、雨や太陽光などが直接受けない。苗植付け部７へ苗補給作業をするときには、作業者がステップフロア３５上を移動して予備苗載せ台１９上の苗をその後側の苗植付け部７へ補給することができる。このとき、ステップフロア３５の操縦座席１４より後側の部分を操縦座席１４より前側の部分より高位に設けているので、作業者はステップフロア３５の前記後側の部分から苗植付け部７へ容易に苗補給できる。更に、バイザー２５の後部４０をバイザー２５の前側部分に設けた回動軸回りに上側に回動させることにより、ステップフロア３５の前記後側の部分で作業者が苗補給作業をするとき、バイザー２５の後部４０に衝突せずに安全に作業ができる。しかも、バイザー２５の後部４０における前後方向中途部から後側部分にかけて左右幅が段状に広くなる構成としたので、左右幅の広い苗植付け部７の直前に位置するバイザー２５の後端の左右幅が広くなって苗植付け部７への苗補給作業が容易になると共に、バイザー２５の後部４０を上側に回動させたときに左右幅が段状に広くなるバイザー２５の後部４０における前後方向中途部から後側部分が確実に上側に移動し、ステップフロア３５上の乗用車体２の左右両側部分を歩行する作業者がバイザー２５に衝突するのを効率良く防止できる。
【発明の効果】
【０００７】
よって、バイザー２５の後部４０を上側に回動させることにより、バイザー２５の後部４０に衝突せずに安全に苗補給作業ができるので、ステップフロア３５の操縦座席１４より後側の部分を操縦座席１４より前側の部分より高位に設けた構成としながら、バイザ−２５を低く配置することができ、バイザ−２５の面積が小さくても操縦座席１４に座ったオペレ−タが雨や太陽光などを直接受けないようにでき、オペレ−タが快適に植付作業できる。しかも、苗植付け部７の直前に位置するバイザー２５の後端の左右幅が広くなって苗植付け部７への苗補給作業が容易になると共に、バイザー２５の後部４０を上側に回動させたときに左右幅が段状に広くなるバイザー２５の後部４０における前後方向中途部から後側部分が確実に上側に移動し、ステップフロア３５上の乗用車体２の左右両側部分を歩行する作業者がバイザー２５に衝突するのを効率良く防止できる。
【発明を実施するための最良の形態】
【０００８】
以下、本発明の実施例を添付の図面を参照して具体的に説明する。
図１及び図２において、乗用型田植機１は、前輪３及び後輪４を装備し、この前，後輪３，４を駆動して走行する４輪駆動形式の乗用車体２の後部に、油圧シリンダ５により作動する昇降リンク６を介して苗植付け部７を昇降可能に装着している。
【０００９】
乗用車体２と苗植付け部７との間の乗用車体２の後部位置に、施肥装置８が配設されている。この施肥装置８には、肥料ホッパ９の下側の繰出し部１０から繰り出された肥料を施肥管１１に向け送り出す送風管１２が設けられ、この送風管１２にモータにより駆動されるブロア１３が接続されている。そして、乗用車体２から苗植付け部７及び施肥装置８に動力が伝達されて、苗植付け部７では所定の間隔で多条（８条）の苗が圃場に植え付けられ、この植え付けられた苗の条間に、施肥装置８により繰り出された肥料が施肥管１１の終端から、図示しない開溝器により開溝された施肥溝に施肥されるようになっている。
【００１０】
乗用車体２の運転座席１４の下側にはエンジン１５が搭載され、運転座席１４の前側の車体前部に設けたステアリングハンドル１６及びハンドルポスト１７の下側には、トランスミッション１８が設けられている。エンジン１５とトランスミッション１８との間には、図示しない油圧無段変速機（ＨＳＴ）が設けられ、副変速レバーにより無段変速されるようになっている。上記ハンドルポスト１７の左右両側に位置して、上下各４段の予備苗載せ台１９が左右回動可能に設けられ、乗用車体２の前端部には、中央位置にセンターマーカ２０が、左右両側にサイドマーカ２１が、それぞれ設けられている。トランスミッション１８内で変速された動力は前輪３を駆動すると共に、ＰＴＯ軸として取り出されて後輪４に伝達され、また、苗植付け部７及び施肥装置８に伝達されるようになっている。
【００１１】
上記予備苗載せ台１９は、左右の前輪３のフロントアクスルケース２２上から立ち上げられた支柱２３に、支持アーム２４を介して支持されている。この支持アーム２４は、予備苗載せ台１９が図面で実線位置から仮想線位置まで回動可能であり、それぞれの回動位置に固定する手段として、足踏みペダルが用いられている。
【００１２】
操縦座席１４及び肥料ホッパ９の上方に、雨や太陽光などを遮るために設けられるバイザー２５が設けられている。このバイザー２５は、２本の前部支持フレーム２６ａ，２６ａとバイザー２５の後端部の幅方向中央部に設けた１本の後部支持フレーム３８とにより支持されており、肥料ホッパ９側から操縦座席１４側に向けて前向きに下降するように傾斜させて設けられている。そして、前部支持フレーム２６ａの下端部を、支柱２３に支持させることなく、乗用車体２の前端部から左右両側に突設した支持ステー３７に支持させると共に、後部支持フレーム３８を、肥料ホッパ９の長さ方向中間部９ａを通って下方の機体に支持させている。また、バイザー２５の左右幅を、予備苗載せ台１９，１９の内側の間隔よりやや狭くなるようにしている。
【００１３】
バイザー２５が２本の前部支持フレーム２６ａ，２６ａと１本の後部支持フレーム３８とにより支持されているので、支持強度が増し、バイザー２５を安定して支持することができる。また、バイザー２５の左右幅を予備苗載せ台１９，１９の内側の間隔よりやや狭く、しかも図１ないし図３のように支持フレーム２６を支柱２３に支持させていないので、予備苗載せ台１９を回動させる際に支持フレーム２６ａ，２６ａが邪魔になることがない。
【００１４】
上記苗植付け部７は、従来のものと同様に、センターフロート２８，２８、サイドフロート２９，２９、苗載せ台３０、苗受け板３１、ロータリ式苗植付け体３２，３２，…等を具備している。ロータリ式苗植付け体３２は、回転伝動ケースに取り付けられて所定の軌跡を描いて回動し、苗載せ台３０上の苗を苗受け板３１に形成した苗取出し口３３から１株ずつ取り出して圃場に植え付けるようにしている。苗載せ台３０の上端部には、補助苗載せ台３４が出し入れ可能に設けられている。乗用車体２の左右両側の前端部から後端部にかけて作業者が移動できるステップ３５，３５が設けられ、また、このステップ３５，３５の側部には、作業者がステップ３５，３５に乗り降り際に足を掛ける足掛けステップ３６，３６を設けている。
【００１５】
このような構成の本発明による乗用型田植機１においては、水田圃場に導入されて、乗用車体２の走行と共に、昇降リンク６により苗植付け部７を下降させてフロート２８，２８、２９，２９を田面に接した状態で苗植付け部７を滑走させ、田植と同時に施肥作業を行う。乗用車体２から苗植付け部７及び施肥装置８に動力が伝達されて駆動させ、苗植付け部７ではロータリ式苗植付け体３２，３２…により、フロート２８，２８、２９，２９によって整地された跡に所定の間隔で８条の苗が圃場に植え付けられ、この植え付けられた苗の条間に、施肥装置８の繰出し部１０から繰り出された肥料が、ブロア１３から送風管１２に送られた圧力風により施肥管１１に向け送り出されて施肥される。
【００１６】
そして、乗用型田植機１により降雨中に田植・施肥作業を行うときには、運転座席１４に座って操縦する作業者にはバイザー２５によって雨が遮られて濡れることなく作業が行え、また、バイザー２５上に降った雨は、バイザー２５が機体の前方に向け下降するようにして傾斜していることにより、機体の前側に落下するので、肥料ホッパ９上に集中して落下することはない。従って、肥料ホッパ９内に雨が侵入して、ホッパ９内に収容されている肥料を湿らせて繰出しを悪化させたり、詰まらせるような事態は回避される。また、バイザー２５上に降った雨は、機体の側方及び後方に落下せず前側に落下するので、操縦座席１４からの側方及び後方視界は良好である。
【００１７】
図３ないし図６に示すバイザー２５は、左右幅方向の中央部から前縁部に掛けて分水頂部２５ａを形成し、また、左右両側縁部及び前縁部に、それぞれ樋部２５ｂを形成している。そして、前部支持フレーム２６ｂ，２６ｂをパイプ材で構成し、その上端部をバイザー２５の前端部両隅において支持させて樋部２５ｂと連通させ、前部支持フレーム２６ｂ，２６ｂの下端部を支持ステー３７，３７に支持させている。支持ステー３７，３７には、図示しないが前部支持フレーム２６ｂ，２６ｂと連通する排水孔が形成されている。
【００１８】
このような構成のバイザー２５においては、バイザー２５上に降った雨は、バイザー２５が機体の前方に向け下降するように傾斜していること、上面に分水頂部２５ａを形成していること、及び左右両側縁部と前縁部に樋部２５ｂを設けていることにより、樋部２５ｂに集められて前部支持フレーム２６ｂ，２６ｂ及び支持ステー３７，３７を介して機体の前側圃場に落下する。従って、雨が肥料ホッパ９上に集中して落下することはなく、肥料ホッパ９内に雨が侵入して、ホッパ９内に収容されている肥料を湿らせて繰出しを悪化させたり、詰まらせるような事態は回避される。また、雨が前部支持フレーム２６ｂ，２６ｂ及び支持ステー３７，３７を介して機体の前側圃場に落下するので、操縦座席１４からの全方向の視界は良好となる。
【００１９】
図７ないし図９に基づいて本発明の主要部となるバイザー２５の構成について説明する。このバイザー２５は、その後部に、肥料ホッパ９の全部の上方を覆う肥料ホッパ用バイザー４０を設け、この肥料ホッパ用バイザー４０に、雨が後方または側方から吹き込んだときに肥料ホッパ９に雨が当たるのを防止するようにした後部庇４０ａ及び側部庇４０ｂ，４０ｂを形成している。また、バイザー２５は前部支持フレーム２６ａ，２６ａ及び後部支持フレーム３８により、上述したものより低く支持されており、前側部分にヒンジ部３９を設けて、肥料ホッパ用バイザー４０側が上下に回動可能となっている。
【００２０】
このような構成のバイザー２５においては、バイザー２５及び肥料ホッパ用バイザー４０上に降った雨は、バイザー２５が機体の前方に向け下降するように傾斜していること、比較的低く設けられていること、肥料ホッパ用バイザー４０に後部庇４０ａ及び側部庇４０ｂ，４０ｂを設けていること、などにより、大半のものが機体の前側に落下する。特に肥料ホッパ用バイザー４０においては、肥料ホッパ９全体にわたって雨が当たるのを防止し、機体の後方あるいは側方からの雨の吹き込みがあっても、後部庇４０ａあるいは側部庇４０ｂ，４０ｂにより肥料ホッパ９に雨が当たるのが防止される。また、作業者が操縦座席１４に座るとき、あるいは操縦座席１４から立ち上がるときにバイザー２５が邪魔になるときには、ヒンジ部３９から肥料ホッパ用バイザー４０側を回動させればよい。
【図面の簡単な説明】
【００２１】
【図１】乗用型田植機全体の側面図である。
【図２】乗用型田植機全体の平面図である。
【図３】乗用型田植機全体の側面図である。
【図４】バイザーの平面図である。
【図５】図４のＡ−Ａ線に沿う断面図である。
【図６】図４のＢ−Ｂ線に沿う断面図である。
【図７】乗用型田植機全体の側面図である。
【図８】バイザーの平面図である。
【図９】肥料ホッパ用バイザーの部分横断面図である。
【符号の説明】
【００２２】
１…乗用型田植機（苗移植機）、２…乗用車体、７…苗植付け部、１４…操縦座席、１９…予備苗載せ台、２５…バイザー、３５…ステップ、３９…ヒンジ部、４０…肥料ホッパ用バイザ−
【図１】
0003666498.tif 000002
【図２】
0003666498.tif 000003
【図３】
0003666498.tif 000004
【図４】
0003666498.tif 000005
【図５】
0003666498.tif 000006
【図６】
0003666498.tif 000007
【図７】
0003666498.tif 000008
【図８】
0003666498.tif 000009
【図９】
0003666498.tif 000010